(57)【要約】【課題】先端が非鋭利なニードルレスアダプタを直接、装着（挿入）でき、血液を収納する際、金属針を使用する必要がないため、針刺事故等を回避できる真空採血管を提供すること。【解決手段】栓部（２）と容器（１１）からなる真空採血管（１）であって、前記栓部（２）は、支持体（３）と栓体（５）とキャップ（１０）とからなり、前記容器（１１）は、一端部に開口部（Ｏ）を形成し、前記キャップ（１０）の円周リブ（１６）の内側に、前記栓体（５）を装着し、前記キャップ（１０）の側壁（１３）と円周リブ（１６）の間に形成された空間（Ｓ）に、前記支持体（３）の係合部（４）を装着し、前記栓体（５）のスリット（６）に前記キャップ（１０）の側壁（１３）及び円周リブ（１６）の両方で二重に締付圧力を付与し、前記容器（１１）の開口部（Ｏ）に、前記栓部（２）を装着した真空採血管（１）。【選択図】図１
0003129111.tif 000002
【実用新案登録請求の範囲】
【請求項１】
栓部（２）と容器（１１）からなる真空採血管（１）であって、
前記栓部（２）は、支持体（３）と栓体（５）とキャップ（１０）とからなり、
前記支持体（３）は、略円筒状の側壁（１７）の内部に孔（１８）を形成した中間壁（１９）を配置し、かつ当該側壁（１７）の上端部に係合部（４）を形成し、
前記栓体（５）は、縦方向に伸びるスリット（６）を形成し、
前記キャップ（１０）は、略円筒状の側壁（１３）の内側に円周リブ（１６）を形成し、
前記容器（１１）は、一端部に開口部（Ｏ）を形成し、
前記キャップ（１０）の円周リブ（１６）の内側に、前記栓体（５）を装着し、
前記キャップ（１０）の側壁（１３）と円周リブ（１６）の間に形成された空間（Ｓ）に、前記支持体（３）の係合部（４）を装着し、
前記栓体（５）のスリット（６）に前記キャップ（１０）の側壁（１３）及び円周リブ（１６）の両方で二重に締付圧力を付与し、
前記容器（１１）の開口部（Ｏ）に、前記栓部（２）を装着したことを特徴とする真空採血管（１）。
【請求項２】
前記支持体（３）の側壁（１７）及び中間壁（１９）並びに前記栓体（５）により、前記容器（２）の開口部（Ｏ）を密閉状態で封止したことを特徴とする請求項１に記載の真空採血管（１）。
【考案の詳細な説明】
【技術分野】
【０００１】
本考案は、真空採血管に関し、具体的にはスリット付の栓体を装着した真空採血管の改良に関する。例えば人工透析を行う患者から採取した血液を収納する際に好適に使用できる。
【０００２】
例えば、人工透析治療においては、一般的に１ヶ月に１〜２度、透析患者の健康状態などを把握するために血液検査が行なわれる。血液検査用の血液は、透析用の血液回路に形成されているニードルレスアクセスポートより、針刺事故防止のため、先端が鋭利な金属針を使用しないニードルレスタイプの注射器（先端が非鋭利で、かつ細い円筒状になっており、ニードルレスアクセスポートとのいわゆるアダプタ、コネクタ等になっているもの）や安全構造のプラスチックニードル（先端が非鋭利に加工されているもの）等で採取していた。以下、ニードルレスタイプの注射器、プラスチックニードルをまとめて「ニードルレスアダプタ」と称する。
従来の真空採血管は通常、口部（開口部）にめくらのゴム栓が装着されており、このゴム栓に先端が鋭利な金属針をゴム栓に刺通して使用している。
このため前記注射器内に採取した血液を、検査を行うために従来の真空採血管に移し換えるには、ニードルレスアダプタの先端に金属針を装着してから真空採血管のゴム栓へ刺通しなければならず、ニードルレスアダプタに金属針を装着する手間がかかると同時に、金属針を装着する時や金属針を装着した後の作業においての針刺事故のおそれもあった。
【０００３】
特許文献１には、採血容器の密閉栓に閉塞可能な通気手段を配置した採血器具が記載されている。採血器具は、試験管１と、軸方向に貫通した十字のスリット７が形成されかつ試験管１の開口部に嵌入可能な可撓性栓２と、毛細管３とにより構成されており、採血時には可撓性栓２を試験管開口部に途中まで嵌入し、通気路５を確保するものである。
【０００４】
特許文献２には、試験管３の開口に、弾性変形可能な複数個の扇形片を備えた封止栓１と、封止栓１の窪みに突き通し可能部材（封止栓）２Ａ、２Ｂを挿着した分析用試験管の封止栓が記載されている。
封止栓１の窪み（空洞１４）を従来型の刺通可能の封止栓２Ａにより密封することで試験管３内に真空状態に維持し、試験管３から液体（血液）を取り出す場合に従来型の封止栓２Ａだけを取り外すようにしている。
【０００５】
また特許文献３には、金属針の刺通穴９とこれに連続する細穴部７を形成したゴム製の容器栓が記載されている。この容器栓を用いた真空採血管は、採血後、採血針を抜いたときに、ゴム弾性復帰力により、刺通穴９が自動的に復元して、真空採血管内の血液が刺通穴９から漏出しないようにしている。
【０００６】
特許文献１は、可撓性栓２にスリット７が形成されているものの、毛細管３からの血液取得時には外部との通気路を形成し、親水性毛細管作用と重力によって試験管内に血液を取り込むものであり、採血に時間がかかる。真空採血管として機能しない。
特許文献２及び特許文献３は、真空採血管を開示しているが、採血時には従来と同様に先端が鋭利な金属針を使用する。
特許文献２は、ゴム栓（封止栓）にスリット等は形成されておらず、先端が非鋭利なニードルレスアダプタは使用できない。
特許文献３は、栓自体のゴム弾性復帰力のみでは、特にニードルレスアダプタ挿通（挿入）時のシール性の維持が困難である。
【特許文献１】実開昭５８−８０２０７号公報（実用新案登録請求の範囲、第４図）
【特許文献２】特許第３１７４３０８号公報（［請求項１］、図１）
【特許文献３】特開平８−８０２９２号公報（［００１５］、図２）
【考案の開示】
【考案が解決しようとする課題】
【０００７】
解決しようとする課題は、例えば人工透析用回路等から注射器等に採取した血液を、ニードルレスアダプタのみでは、先端が鋭利な金属針を用いることなく、容易で安全に真空採血管に収納できない点である。
【課題を解決するための手段】
【０００８】
［１］本考案は、栓部（２）と容器（１１）からなる真空採血管（１）であって、
前記栓部（２）は、支持体（３）と栓体（５）とキャップ（１０）とからなり、
前記支持体（３）は、略円筒状の側壁（１７）の内部に孔（１８）を形成した中間壁（１９）を配置し、かつ当該側壁（１７）の上端部に係合部（４）を形成し、
前記栓体（５）は、縦方向に伸びるスリット（６）を形成し、
前記キャップ（１０）は、略円筒状の側壁（１３）の内側に円周リブ（１６）を形成し、
前記容器（１１）は、一端部に開口部（Ｏ）を形成し、
前記キャップ（１０）の円周リブ（１６）の内側に、前記栓体（５）を装着し、
前記キャップ（１０）の側壁（１３）と円周リブ（１６）の間に形成された空間（Ｓ）に、前記支持体（３）の係合部（４）を装着し、
前記栓体（５）のスリット（６）に前記キャップ（１０）の側壁（１３）及び円周リブ（１６）の両方で二重に締付圧力を付与し、
前記容器（１１）の開口部（Ｏ）に、前記栓部（２）を装着した真空採血管（１）を提供する。
［２］本考案は、前記支持体（３）の側壁（１７）及び中間壁（１９）並びに前記栓体（５）により、前記容器（２）の開口部（Ｏ）を密閉状態で封止した［１］に記載の真空採血管（１）を提供する。
【考案の効果】
【０００９】
（１）栓体５のスリット６は、気密性と液密性の両方のシール性に優れているので、非使用時の容器１１内を高度の真空（減圧）状態に維持でき、使用時もニードルレスアダプタを装着（挿入）する時のシール性が向上するので、従来のように先端が鋭利な金属針を接続しなくても、先端が非鋭利なニードルレスアダプタを直接、装着（挿入）できる。（２）真空採血管１に血液を収納する際、金属針を使用する必要がないため、針刺事故等を回避できる。
【考案を実施するための最良の形態】
【００１０】
図１は本考案の真空採血管１の概略図で、（Ａ）は組立断面図、（Ｂ）は分解断面図、図２はキャップ１０と栓体５の分解断面図、図３はキャップ１０と栓体５の組立断面図、図４は支持体３の断面図、図５は栓部２の断面図（支持体３、栓体５及びキャップ１０の組立断面図）である。
［真空採血管１］
本考案の真空採血管１は、図１から図５に例示するように、栓部２と容器１１とから構成されている。
栓部２は、支持体３と栓体５とキャップ１０から構成される。
容器１１は、断面略Ｕ字状で一端部に開口部Ｏを形成し、当該開口部Ｏに、栓部２を装着し、容器１１内部を真空（減圧）状態に維持できるようにしている。
容器１１は、合成樹脂等の材料で構成され、透明な材料であることが好ましい。
【００１１】
［支持体３］
支持体３は、図１から図５に例示するように、略円筒状の側壁１７の内部に孔１８を形成した中間壁１９を配置し、かつ当該側壁１７の上端部に係合部４を形成している。
中間壁１９は、略板状に形成され、側壁１７内部の略中間部に配置され、側壁１７に対して略垂直に（直交わるように）配置されている。
中間壁１９の上外縁部には、栓体５の装着溝２０が形成されている。
係合部４は、側壁１７の上端部外周に、例えば環状に連続または一部不連続に間隔をおいて形成される。係合部４は楔状でもよいし筒状でもよい。
孔１８は、中間壁１９の略中央部に形成されている。
孔１８は、ニードルレスアダプアタを介して注射器内の血液が容器１１内に収納できるように形成したものである。
【００１２】
［栓体５］
栓体５は、ニードルレスアダプタを挿入可能な縦方向に形成されたスリット６を有するものであれば何でも良い。スリット６の形態もニードルレスアダプタを挿入可能な形態（例えば縦断面の上端から途中に亘って形成されているもの、あるいは縦断面の上端から下端に亘って形成されたもの等）であれば何でも良い。栓体５の構成材料は、例えばシリコン、ゴム、エラストマー、合成樹脂等が用いられる。
【００１３】
［キャップ１０］
キャップ１０は図１から図５に例示するように、円筒状の側壁１３と板状の天上壁１４より構成され、円筒状の側壁１３の内側（内周）に円筒状の円周リブ１６が形成されている。
円周リブ１６は、例えば環状に連続または一部不連続に間隔をおいて形成される、筒体または複数の突起で、円周リブ１６の内径は、栓体５の外径よりも若干小さく形成して、内部空間に栓体５を装着（圧入、嵌合）できるように形成されている。
側壁１３と円周リブ１６の間に形成された空間Ｓは、支持体３の係合部４が装着（圧入、嵌合）できるように形成されている。
【００１４】
［組み立て方法の一例］
図１から図５に例示するように、キャップ１０の円周リブ１６の内側に、栓体５を装着（密着、固着、嵌着）し、キャップ１０の側壁１３と円周リブ１６の間に形成された空間Ｓに、記支持体３の係合部４を装着（密着、固着、嵌着）する。
これにより栓体５のスリット６にキャップ１０の側壁１３及び円周リブ１６の両方で二重に締付圧力を付与することができ、スリット６のシール性を向上させることができる。
以上のように組立てた栓部２を、容器１１の開口部Ｏに装着することにより、
支持体３の側壁１７及び中間壁１９並びに栓体５により、容器２の開口部Ｏを密閉状態で封止することができる。
支持体３とキャップ１０は、それぞれの係合部４、１５（具体的には、突起と溝であり、相互に入れ替わっても良い）により係合される。
【００１５】
さらに時系列に説明する。
（１）図２及び図３に例示するように、キャップ１０の円周リブ１６内に栓体５を装着（圧入、嵌合）する。これにより円周リブ１６によって栓体５に一次の締付圧力が付与される。
（２）（１）のキャップ１０の側壁１３と円周リブ１６の間に形成された空間Ｓに、支持体３（図４参照）の係合部４を装着（圧入、嵌合）する。これにより栓体５に二次の締付圧力が付与される。以上のように図５のように組立てられた栓部２は、キャップ１０の側壁１３と円周リブ１６の両方で二重に栓体５に締付圧力を付与することができる。
（３）図１（Ａ）及び（Ｂ）のように、容器２の開口部Ｏに（２）の栓部２を装着して封止する。このように栓体５のスリット６は、二重の締付けにより、封止後の真空採血管１内のシール性（気密性、液密性）が保たれる。
【００１６】
［使用方法の一例］
（１）人工透析を行う際、人工透析回路の動脈側のニードルレスアクセスポートに、注射器のニードルレスアダプタを挿着（装着）する。
（２）注射器内に必要量の検査用の血液を採取する。
（３）注射器のニードルレスアダプタを、真空採血管１の栓部５のスリット６に直接挿通する。真空採血管１内部は、高度の真空（減圧）状態に維持されているので、注射器内の血液は容器１１内へと速やかに移動する。
【図面の簡単な説明】
【００１７】
【図１】本考案の真空採血管１の概略図概略図、（Ａ）は組立断面図、（Ｂ）は分解断面図
【図２】キャップ１０と栓体５の分解断面図
【図３】キャップ１０と栓体５の組立断面図
【図４】支持体３の断面図
【図５】栓部２の断面図（支持体３、栓体５及びキャップ１０の組立断面図）
【符号の説明】
【００１８】
１  真空採血管
２  栓部
３  支持体
４  係合部
５  栓体
６  スリット
１１  容器
１０  キャップ
１３、１７  側壁
１４  天上壁
１５  係合部
１６  円周リブ
１８  孔
１９  中間壁
２０  装着溝
Ｓ    空間
Ｏ  （容器２の）開口部
【図１】
0003129111.tif 000003
【図２】
0003129111.tif 000004
【図３】
0003129111.tif 000005
【図４】
0003129111.tif 000006
【図５】
0003129111.tif 000007